【事件の表示】
　平成１年特許願第２０７０６４号「複写装置」拒絶査定に対する審判事件（平成２年３月２９日出願公開、特開平２−９０１３８）について、次のとおり審決する。
【結論】
　本件審判の請求は、成り立たない。
【理由】
１．［手続の経緯・本願発明の内容］
　本願は、平成１年８月１１日（優先権主張１９８８年８月１８日、米国）の出願であって、その請求項１〜４に係る発明は、平成１０年４月６日付け、及び平成１０年１０月７日付けの手続補正書で補正された明細書及び図面の記載からみて、特許請求の範囲の請求項１〜４に記載されたとおりのものと認められるところ、その請求項１に係る発明（以下、本願発明という。）は次のとおりである。
「複写装置であって、像編集のために色のハイライト状態を入力するための入力手段と、複写機と、前記入力手段を前記複写機に接続するための接続手段と、前記複写機に装備された像形成手段にして、第１色の現像剤によって現像されるべき第１のコピー像領域に対応する第１の帯電レベルおよび第２色の現像剤によって現像されるべき第２のコピー像領域に対応する第２の帯電レベルを含めて複数の異なった帯電レベルをコピー像が有するように、色のハイライト状態に応じて編集されるべきオリジナルのコピー像を形成するための像形成手段とを含み、前記像形成手段が光導電性部材と、該光導電性部材をほぼ均一レベルに帯電させるための手段と、編集されるべきオリジナルの光像を前記光導電性部材の帯電部分へ投射して静電潜像を記録するための手段と、前記静電潜像が、第１色の現像剤によって現像されるべき第１コピー像領域に相当する第１の帯電レベルおよび第２色の現像剤によって現像されるべき第２コピー像領域に相当する第２の帯電レベルを含めて複数の異なった帯電レベルを有するように、前記入力手段に応答して前記光導電性部材の帯電部分へ投射する光像の強さを調整するための手段とを有する複写装置。」
２．［引用例］
　これに対して、原査定の拒絶の理由に引用された特開昭６０−１６６９７０号公報（以下、「引用例」という。）には、
「情報を静電潜像として記録する感光体と、前記感光体面上に原稿の光像を照射し前記原稿の情報を静電潜像として書き込む第１露光手段と、前記静電潜像上に重ねて露光を行なう第２露光手段と、互いに異なつた現像色の現像剤を保有する複数の現像器と、前記原稿を領域に区分し各領域ごとに現像すべき現像色を指定する領域区分手段とを有するとともに、前記第２露光手段は、前記現像色の数をｎとして、各現像色に対応した領域に、暗部表面電位が、第１の色に対してＶ１第２の色に対してＶ２・・・・・・第ｎの色に対してＶｎ
　但し｜Ｖｋ｜＞｜Ｖｋ＋１｜（ｋはｎ≧ｋ≧１の整数）となるように露光し、さらに、第ｋの色に対応した現像色のトナーを保有する前記現像器の現像バイアス電圧をＶｋ＋１の近傍に設定するバイアス電圧印加装置を設け、前記現像器は、第１の色から順に現像するように配置したことを特徴とする電子写真装置。」（特許請求の範囲第１項参照）、
「本発明は電子写真式により普通紙に複写を行なう、いわゆる普通紙複写式の電子写真装置に関するものである。」（第１頁右下欄第１８行〜同欄第２０行参照）、
「第１図は従来の電子写真装置の一例の要部側断面図である。同図において、・・中略・・（５）はコロナ放電により感光体ドラム（４）に一様に帯電を行なう一様帯電用コロトロン」（第２頁左上欄第２行〜同欄第６行参照）、
「第２図は本発明の実施例に係る電子写真装置の要部斜視図を示したものである。同図において、第１図と同じ番号を付したものは同一機能を有する要素であることを示す。第１露光手段は、光源（１）、原稿載置台（２）、レンズ（３）より成る。原稿（１４）の静電潜像は、原稿載置台（２）の上に原稿（１４）を載せ、この原稿（１４）の面により光源（１）からの光を反射し、レンズ（３）を通して感光体ドラム（４）上に光像を結ばせながら原稿載置台（２）を走査させその間感光体ドラム（４）を回転しつつ逐次感光体ドラム（４）上に原稿（１４）の光像を結んでゆくことにより形成される。
　（２４）は領域区分手段で、入力タブレツト（２１）、入力ペン（２２）、操作パネル（２５）、データ処理制御部（２６）により構成されている。入力タブレツト（２１）は入力ペン（２２）により指示された原稿（１４）の位置座標を検知するためのものであり、座標入力手段を構成している。また操作パネル（２５）は座標位置データ入力のためのＩＮ釦（３０）、入力終了を指示するためのＥＮＤ釦（３２）現像色指定のため各現像色に対応した色指定釦（３１）（３１ａ）（３１ｂ）（３１Ｃ）より構成され、色指定手段を構成している。」（第３頁左上欄第１８行〜同頁右上欄第１８行参照）、
「第５図は、原稿（１４）の複写面を上に向けた状態で、この原稿（１４）の端辺（ａ）及び（ｂ）を入力タブレツト（２１）の座標Ｘ軸及びＹ軸に一致させ、この状態で領域及び現像色を指示したものを示している。領域Ｉの現像色は第１の現像色、領域ＩＩは第２の現像色、領域ＩＩＩは第３の現像色が指定されている。ただし領域ＩＩ及び領域ＩＩＩは本来多角形であることも可能であるが、説明を容易にするために矩形としている。
　領域及び現像色の指定を終了した後、原稿（１４）は、感光体ドラム（４）の表面に静電潜像を形成するため複写面を下に向けて原稿載置台（２）に載せられるが、この際原稿（１４）の端辺（ａ）、（ｂ）を原稿載置台（２）のＸ´座標及びＹ´座標に一致するようにセットする。」（第３頁右下欄第３行〜同欄第１６行参照）、
「第２図において、第２露光手段は、光源（１）、原稿載置台（２）、レンズ（３）より成る第１露光手段にて形成された原稿（１４）の静電潜像の少なくとも一部に露光を重ね、静電潜像の露光部を除電し露光した静電潜像の暗部表面電位を所定の値となるよう調整するものである。この第２露光手段は、ＬＥＤなどの光半導体素子を感光体ドラム（４）の回転軸に平行にかつ感光体ドラム（４）の表面に沿つて配列した光半導体素子アレー（２０）によって構成されている。」（第４頁左上欄第７行〜同欄第１６行参照）、
「座標入力装置の座標と原稿載置台（２）の座標とが対応しているので、原稿載置台（２）と第１露光手段との位置関係を検知することにより、静電潜像の座標と光半導体素子アレー（２０）との位置関係がわかり、Ｘ´軸方向は光半導体素子アレー（２０）の光半導体素子を選択的に点灯することにより、またＹ´軸方向は光半導体素子の点灯時間を調整することにより、予め決められた領域に所定の露光を行なうことが出来る。」（第４頁右上欄第８行〜同欄第１６行参照）、
「第５図による例に基づき、感光体ドラム（４）の表面の静電潜像のプロセスをまとめて説明する。第５図において、（ａ）は感光体ドラム（４）面上に領域の指定と各領域ごとの現像色の指定を行なつた状態を示しており、領域Ｉには第１の色、領域ＩＩには第２の色、領域ＩＩＩには第３の色が指定されている。同図（ｂ）は、第１露光手段により原稿の静電潜像を形成した後、第２露光手段により領域ＩＩには第４図のｂ点の暗部表面電位状態、領域ＩＩＩには第４図のｃ点の暗部表面電位状態となるように必要な量の露光を行なつたものを示し、また領域Ｉは再度の露光はされず第４図のａ点の暗部表面電位状態のまま保たれたものを示している。」（第５頁左下欄第６行〜同欄第１８行参照）、
　更に、図面第２図には、領域区分手段（２４）と光半導体素子アレー（２０）とがケーブルによって接続されている構成が図示されている。
　そして、上記した各記載事項から、図面第２図に示される一様帯電用コロトロン（５）、光源（１）、原稿載置台（２）、レンズ（３）、感光体ドラム（４）、光半導体素子アレー（２０）、現像器（４０ａ〜４０ｃ）、バイアス電圧印加装置（４３）を有する装置は、原稿の複写像を形成する像形成手段を備えた複写機で有り、
　更に、引用例の電子写真装置が、指定された領域に応じて半導体素子アレーの半導体素子を選択的に点灯させ、かつ点灯時間を調整するべく、第２露光手段の点灯を調整するための手段を有することは自明であるから、
　これらを総合すると、引用例には、
「電子写真装置であって、複写する原稿の現像色を領域により異ならせるために複写する原稿を領域に区分し、各領域ごとに異なる現像色を指定する領域区分手段と、複写機と、前記領域区分手段を前記複写機に接続するためのケーブルと、前記複写機に装備された像形成手段にして、第１の現像色が指定された領域Ｉに対応する暗部表面電位Ｖ１および第２の現像色が指定された領域ＩＩに対応する暗部表面電位Ｖ２を含めて複数の異なった暗部表面電位を複写像が有するように、各領域の現像色の指定に応じて現像されるべき原稿の複写像を形成するための像形成手段とを含み、前記像形成手段が感光体ドラムと、該感光体ドラムを一様に帯電する一様帯電用コロトロンと、各領域ごとに現像色が指定される原稿の光像を前記感光体ドラムの帯電部分へ照射して静電潜像を記録するための第１露光手段と、前記静電潜像が、第１の現像色が指定された領域Ｉに相当する暗部表面電位Ｖ１および第２の現像色が指定された領域ＩＩに相当する暗部表面電位Ｖ２を含めて複数の異なった暗部表面電位を有するように、前記領域区分手段に応答して第２露光手段の点灯を調整するための手段とを有する電子写真装置」、
　が記載されていると認められる。
３．［対比・判断］
　本願発明と引用例とを比較すると、
　引用例の「電子写真装置」は本願発明の「複写装置」に、以下同様に、「複写機」は「複写機」に、「ケーブル」は「接続手段」に、「像形成手段」は「像形成手段」に、「第１の現像色が指定された領域Ｉ」は「第１色の現像剤によって現像されるべき第１のコピー像領域」に、「暗部表面電位Ｖ１」は「第１の帯電レベル」に、「第２の現像色が指定された領域ＩＩ」は「第２色の現像剤によって現像されるべき第２のコピー像領域」に、「暗部表面電位Ｖ２」は「第２の帯電レベル」に、「暗部表面電位」は「帯電レベル」に、「複写像」は「コピー像」に、「感光体ドラム」は「光導電性部材」に、「一様帯電用コロトロン」は「光導電性部材をほぼ均一レベルに帯電させるための手段」に、「静電潜像」は「静電潜像」に、「第１露光手段」は「静電潜像を記録するための手段」に、各々相当し、
　且つ、引用例の「複写する原稿の現像色を領域により異ならせるため複写する原稿を領域に区分し、各領域ごとに異なる現像色を指定する領域区分手段」は本願発明の「像編集のため色のハイライト状態を入力するための入力手段」として、以下同様に、「各領域の現像色の指定に応じて現像されるべき原稿の複写像」は「色のハイライト状態に応じて編集されるべきオリジナルのコピー像」として、「各領域ごとに現像色が指定される原稿の光像」は「編集されるべきオリジナルの光像」として理解されるから、
　引用例からは、本願発明の「複写装置であって、像編集のために色のハイライト状態を入力するための入力手段と、複写機と、前記入力手段を前記複写機に接続するための接続手段と、前記複写機に装備された像形成手段にして、第１色の現像剤によって現像されるべき第１のコピー像領域に対応する第１の帯電レベルおよび第２色の現像剤によって現像されるべき第２のコピー像領域に対応する第２の帯電レベルを含めて複数の異なった帯電レベルをコピー像が有するように、色のハイライト状態に応じて編集されるべきオリジナルのコピー像を形成するための像形成手段とを含み、前記像形成手段が光導電性部材と、該光導電性部材をほぼ均一レベルに帯電させるための手段と、編集されるべきオリジナルの光像を前記光導電性部材の帯電部分へ投射して静電潜像を記録するための手段と、前記静電潜像が、第１色の現像剤によって現像されるべき第１コピー像領域に相当する第１の帯電レベルおよび第２色の現像剤によって現像されるべき第２コピー像領域に相当する第２の帯電レベルを含めて複数の異なった帯電レベルを有するように、前記入力手段に応答して調整するための手段とを有する複写装置」の点に相当する構成が把握され、この点で両者は一致しており、以下の点で相違している。
（相違点）
　入力手段に応答して調整するための手段に関し、
　本願発明が「入力手段に応答して光導電性部材の帯電部分へ投射する光像の強さを調整するための手段」を構成とし、光像自体の強さを調整することにより、各コピー像領域の静電潜像が異なる帯電レベルを有するようにしているのに対し、
　引用例は「入力手段に応答して第２露光手段の点灯を調整するための手段」を構成とし、第１露光手段と第２露光手段により、各コピー像領域の静電潜像が異なる帯電レベルを有するようにしている点。
　そこで、上記相違点について検討するに、
　引用例には、第５図の説明として「同図（ｂ）は、第１露光手段により原稿の静電潜像を形成した後、第２露光手段により領域ＩＩには第４図のｂ点の暗部表面電位状態、領域ＩＩＩには第４図のｃ点の暗部表面電位状態となるように必要な量の露光を行なつたものを示し、また領域Ｉは再度の露光はされず第４図のａ点の暗部表面電位状態のまま保たれたものを示している。」と記載されており、該記載は、第２露光手段が領域ＩＩと領域ＩＩＩの静電潜像の各暗部表面電位を異ならせるために、指定された領域に応答して異なる光量で露光を行なうべく調整がなされる旨の事項を開示していると理解されることに加え、
　光導電性部材の帯電部分へ投射する光像の強さを調整することにより静電潜像の帯電レベルを部分的に変化させることは周知技術（例えば、特開昭５７−１６１７６２号公報、特開昭５８−１７２０５９号公報、参照）であるから、
　各コピー像領域の静電潜像が異なる帯電レベルを有するようにする手段として、引用例の第１露光手段と第２露光手段による技術に換えて、光像の強さを調整する周知技術を適用し、上記相違点として記載した「入力手段に応答して光導電性部材の帯電部分へ投射する光像の強さを調整するための手段」を想到することは、当業者にとって容易になし得た程度の事項と認められる。
　そして、本願発明の奏する作用効果として、引用例及び周知技術から予測される以上のものは認められない。
４．［結論］
　以上のとおりであるから、本願発明は、引用例及び周知技術に基づいて当業者が容易に発明をすることができたものと認められ、特許法第２９条第２項の規定により特許を受けることができない。
　よって、結論の通り審決する。